(57)【特許請求の範囲】
【請求項１】
正券と判定された取扱い金種の紙幣を金種別に収納するとともに1枚ずつ繰り出す正券紙幣収納繰出部および正券以外の紙幣を複数金種混在状態で収納するとともに1枚ずつ繰り出す損券紙幣収納繰出部よりなる紙幣収納繰出部と、
前記正券紙幣収納繰出部および損券紙幣収納繰出部にそれぞれ対応して設けられ、外部から保留紙幣を取り出し可能に形成された一時保留部と、
帯封すべき紙幣を所定枚数集積する所定数の集積部と、
この集積部に前記所定枚数集積された紙幣を受け入れ、結束して帯封する所定数の結束手段と、
前記各紙幣収納繰出部と前記集積部間に設けられ、搬送紙幣の金種判定および枚数計数を行う紙幣識別部と、前記損券紙幣収納繰出部に収納している損券紙幣の枚数を金種毎に記憶する損券枚数記憶部と、
正券については、取り出した正券紙幣を前記集積部に送って集積して前記結束手段で結束させ、前記所定枚数に満たない端数については当該金種の一時保留部に搬送集積させて外部からの取り出しを可能とし、
損券については、前記損券紙幣収納繰出部に収納されている損券紙幣をすべて繰出し、前記紙幣識別部により金種識別し、特定金種と識別された紙幣について前記損券枚数記憶部に記憶された前記特定金種の枚数が所定枚数以上であれば、前記集積部に送って集積して前記結束手段で結束させ、端数については当該金種の前記一時保留部に搬送集積させて外部からの取り出しを可能とするとともに、前記特定金種以外と識別された紙幣は前記損券紙幣用の一時保留部に搬送集積させ、前記損券枚数記憶部に記憶された前記特定金種以外の枚数が所定枚数未満の場合には、外部からの取り出しを可能とし、所定枚数以上の場合には前記損券紙幣用の一時保留部から前記損券紙幣収納繰出部に収納した後、前記集積部に送って集積して前記結束手段で結束させ、端数については当該金種の前記一時保留部に搬送集積させて外部からの取り出しを可能とする制御部と、
を備えたことを特徴とする紙幣回収処理装置。
【請求項２】
前記特定金種は流通量の多い金種であることを特徴とする請求項１に記載の紙幣回収処理装置。
【請求項３】
前記集積部が２個、正券紙幣収納繰出部が千円、五千円、万円用の３個設けられており、前記特定金種が千円と万円であることを特徴とする請求項2に記載の紙幣回収処理装置。
【請求項４】
正券と判定された取扱い金種の紙幣を金種別に収納するとともに収納された紙幣を１枚ずつ繰り出す正券紙幣収納繰出部および正券以外の紙幣を複数金種混在状態で収納するとともに収納された紙幣を1枚ずつ繰り出す損券紙幣収納繰出部よりなる紙幣収納繰出部と、
前記正券紙幣収納繰出部および損券紙幣収納繰出部にそれぞれ対応して設けられ、外部からの保留紙幣取り出し可能に形成された一時保留部と、
特定の２金種について帯封すべき紙幣を所定枚数集積する２個の集積部と、
この集積部に前記所定枚数集積された前記２金種の紙幣をそれぞれ受け入れ、結束して帯封する２個の結束手段と、
前記各紙幣収納繰出部と前記集積部間に設けられ、搬送紙幣の金種判定および枚数計数を行う紙幣識別部と、
前記損券紙幣収納繰出部に収納している損券紙幣の枚数を金種毎に記憶する損券枚数記憶部と、
正券については、取り出した正券紙幣を前記集積部に送って集積して前記結束手段で結束させ、端数については当該金種の一時保留部に搬送集積させて外部からの取り出しを可能とし、
損券については、前記損券紙幣収納繰出部に収納されている損券紙幣をすべて繰り出し、前記識別部により金種識別し、前記特定の２金種と識別された紙幣は前記集積部に送って各金種別に集積して前記結束手段でそれぞれ結束させ、端数については当該金種の前記一時保留部にそれぞれ搬送集積させて外部からの取り出しを可能とするとともに、前記特定の２金種以外の金種と識別された紙幣については前記損券紙幣用の一時保留部に搬送集積した後、前記集積部に送って集積して前記結束手段で結束を行わせ、端数については当該金種の一時保留部に搬送集積させて外部からの取り出しを可能とする制御部と、
を備えたことを特徴とする紙幣回収処理装置。
【請求項５】
前記集積部が２個、正券紙幣収納繰出部が千円、五千円、万円用の３個設けられており、前記２金種が千円と万円であることを特徴とする請求項４に記載の紙幣回収処理装置。
【発明の詳細な説明】
【０００１】
【発明の属する技術分野】
本発明は紙幣回収処理装置に関するもので、特に銀行等の金融機関において使用され、無人機コーナに対する貨幣、特に紙幣の回収や補充、又は窓口でテラーによって使用される入出金機等に対する貨幣の補充、回収等に使用され、特に銀行等では出納用の処理機として使用されるものである。
【０００２】
【従来の技術】
従来、銀行等の金融機関において、出納室に設置されて使用される紙幣に関する機器として、無人コーナや窓口の入出金機から回収された紙幣を金種別に分類計数して収納する紙幣分類収納機能、補充が行われた後に紙幣を投出する紙幣投出機能、通常１００枚単位で結束し帯封をされた紙幣を作る紙幣結束機能を備えた紙幣回収処理装置が使用されている。
【０００３】
回収紙幣の精算を行うために使用される貨幣処理装置では、入金され収納した貨幣はすべて計数され、その後、計数された紙幣は１００枚単位にまとめられ帯封がかけられ、硬貨は金種ごとに定められた枚数ごとに包装され、金庫に収納する処理が行われる。
【０００４】
このような目的で使用される紙幣処理装置では、膨大な枚数の紙幣が取り扱われるため、金種別の紙幣収納庫が備えられているのが普通である。この場合、テープが貼られた紙幣、破れや穴のある紙幣、汚れがひどい紙幣などのいわゆる損券、および金種別の収納庫が満杯で入り切らなくなったいわゆるオーバーフロー紙幣は金種にかかわりなく複数金種が混在する一つの収納庫に収納されている。
【０００５】
正常に収納された紙幣を帯封を行う集積部に移送して帯封を行うことは従来から行われているが、上述したように混合金種の形態で収納された紙幣を帯封する場合には、オペレータが手作業で金種別に収納紙幣を分けた後に帯封を行っている。
【０００６】
【発明が解決しようとする課題】
このように、従来の紙幣回収処理装置では、損券、オーバーフロー券が同じ収納庫に収納されるため、オペレータは常時装置の側に待機している必要があり、省人効果が上がらないという不都合があった。
【０００７】
このため、正損を判別し、その判別結果に基づいて区分収納された損券について計数を行い、この損券のある金種の枚数が規定枚数に達したときに自動的に収納庫から損券を繰出し、鑑別を行って当該金種の損券を帯封処理して排出することにより保管処理手段を有効利用するようにしたものが従来提案されている（特開平３−２８９９５号公報参照）。
【０００８】
しかしながら、この装置では、帯封を行うものは損券のうち規定枚数に達したもののみとなっているので、必要な時に処理を行うことができず、また、一金種ずつの処理になるために処理に時間がかかる。また、一旦取り込んだ紙幣を取り出すには、収納庫から再度繰り出すことが必要であるから、例えば閉店後の確認のために装置内の全部の紙幣を取り出すような場合には、迅速な紙幣取り出しが不可能である。
【０００９】
そこで本発明は、上述のような処理を迅速に行うことのできる紙幣回収処理装置を提供することを目的とする。
【００１０】
【課題を解決するための手段】
本発明にかかる紙幣回収処理装置によれば、
正券と判定された取扱い金種の紙幣を金種別に収納するとともに1枚ずつ繰り出す正券紙幣収納繰出部および正券以外の紙幣を複数金種混在状態で収納するとともに1枚ずつ繰り出す損券紙幣収納繰出部よりなる紙幣収納繰出部と、
前記正券紙幣収納繰出部および損券紙幣収納繰出部にそれぞれ対応して設けられ、外部から保留紙幣を取り出し可能に形成された一時保留部と、
帯封すべき紙幣を所定枚数集積する所定数の集積部と、
この集積部に前記所定枚数集積された紙幣を受け入れ、結束して帯封する所定数の結束手段と、
前記各紙幣収納繰出部と前記集積部間に設けられ、搬送紙幣の金種判定および枚数計数を行う紙幣識別部と、前記損券紙幣収納繰出部に収納している損券紙幣の枚数を金種毎に記憶する損券枚数記憶部と、
正券については、取り出した正券紙幣を前記集積部に送って集積して前記結束手段で結束させ、前記所定枚数に満たない端数については当該金種の一時保留部に搬送集積させて外部からの取り出しを可能とし、
損券については、前記損券紙幣収納繰出部に収納されている損券紙幣をすべて繰出し、前記紙幣識別部により金種識別し、特定金種と識別された紙幣について前記損券枚数記憶部に記憶された前記特定金種の枚数が所定枚数以上であれば、前記集積部に送って集積して前記結束手段で結束させ、端数については当該金種の前記一時保留部に搬送集積させて外部からの取り出しを可能とするとともに、前記特定金種以外と識別された紙幣は前記損券紙幣用の一時保留部に搬送集積させ、前記損券枚数記憶部に記憶された前記特定金種以外の枚数が所定枚数未満の場合には、外部からの取り出しを可能とし、所定枚数以上の場合には前記損券紙幣用の一時保留部から前記損券紙幣収納繰出部に収納した後、前記集積部に送って集積して前記結束手段で結束させ、端数については当該金種の前記一時保留部に搬送集積させて外部からの取り出しを可能とする制御部と、
を備えたことを特徴とする。
【００１１】
特定金種は流通量の多い金種であることが好ましく、前記集積部が２個、正券紙幣収納繰出部が千円、五千円、万円用の３個設けられており、前記特定金種が千円と万円であると良い。
【００１２】
また、本発明にかかる紙幣回収処理装置によれば、
正券と判定された取扱い金種の紙幣を金種別に収納するとともに収納された紙幣を１枚ずつ繰り出す正券紙幣収納繰出部および正券以外の紙幣を複数金種混在状態で収納するとともに収納された紙幣を1枚ずつ繰り出す損券紙幣収納繰出部よりなる紙幣収納繰出部と、
前記正券紙幣収納繰出部および損券紙幣収納繰出部にそれぞれ対応して設けられ、外部からの保留紙幣取り出し可能に形成された一時保留部と、
特定の２金種について帯封すべき紙幣を所定枚数集積する２個の集積部と、
この集積部に前記所定枚数集積された前記２金種の紙幣をそれぞれ受け入れ、結束して帯封する２個の結束手段と、
前記各紙幣収納繰出部と前記集積部間に設けられ、搬送紙幣の金種判定および枚数計数を行う紙幣識別部と、
前記損券紙幣収納繰出部に収納している損券紙幣の枚数を金種毎に記憶する損券枚数記憶部と、
正券については、取り出した正券紙幣を前記集積部に送って集積して前記結束手段で結束させ、端数については当該金種の一時保留部に搬送集積させて外部からの取り出しを可能とし、
損券については、前記損券紙幣収納繰出部に収納されている損券紙幣をすべて繰り出し、前記識別部により金種識別し、前記特定の２金種と識別された紙幣は前記集積部に送って各金種別に集積して前記結束手段でそれぞれ結束させ、端数については当該金種の前記一時保留部にそれぞれ搬送集積させて外部からの取り出しを可能とするとともに、前記特定の２金種以外の金種と識別された紙幣については前記損券紙幣用の一時保留部に搬送集積した後、前記集積部に送って集積して前記結束手段で結束を行わせ、端数については当該金種の一時保留部に搬送集積させて外部からの取り出しを可能とする制御部と、
を備えたことを特徴とする。
【００１３】
集積部が２個、正券紙幣収納繰出部が千円、五千円、万円用の３個設けられており、特定の２金種が千円と万円であることが好ましい。
【００１４】
このように、本発明によれば、金種混合で収納されている損券のうち、複数の特定金種の損券については、識別後に一度に集積部へ搬送して分類集積し、順次結束するとともに、端数は各金種別に一時保留部へ集積させ、特定金種以外の損券は損券一時保留部へ戻し、所定枚数以上であれば特定金種の処理後に結束を行い、その端数を該当金種の一時保留部へ集積するようにして、外部から取り出し可能としているので、迅速な紙幣回収が可能となる。
【００１５】
【発明の実施の形態】
以下、図面を参照して本発明の実施の一形態を説明する。
図１は本発明にかかる紙幣回収処理装置の実施の一形態における全体の概略構成図であって、同図によれば、この紙幣回収処理装置はそれぞれ接離可能な別筐体とされた入出金ユニット１００、結束収納ユニット２００、札束出金ユニット３００より成っている。
【００１６】
以下これら各ユニットにつき構成および動作を詳細に説明する。
（入出金ユニット１００）
入金繰出し部１０１はバラ紙幣を一括して装填する事により取込ローラ等によって１枚ずつ搬送路ａに取込むものであり、搬送路ａは入金識別部１０３に結合されている。
【００１７】
入金識別部１０３は搬送路ａ又は後述する搬送路ｘから送られてくる紙幣について、真偽、正損、金種、表裏、厚み異常券等を識別して各々識別信号を出力する。
【００１８】
この入金識別部１０３を通った紙幣は表裏取揃部１０４において偽券、異常券以外の正常券の全金種について必要な反転を行って表裏を取揃えられる。表裏の取揃えは、入金識別部１０３における表裏検出信号に基づき、そのままの姿勢で紙幣を搬送する搬送路（図示せず）と、反転させる搬送路（図示せず）とを切換えることによって行なう。
【００１９】
リジェクト部１０５は偽券、異常券を搬送路ｃから排出する部分であって、排出された紙幣を係員がここから取り出すことができる。なお、異常券のうちで金種が判別できるものは、後述する損券収納庫に収納されるため、このリジェクト部には送られない。
【００２０】
出金リジェクトボックス１０６は後述する出金識別部２１３で識別された異常紙幣を回収する部分であり、回収された紙幣はここから別途係員が取り出すことができる。なお、出金時の異常紙幣は必ずしもこの出金リジェクトボックスに送るようにする必要はなく、後述するように全く異なった処理を行うこともできる。
【００２１】
カセット紙幣受渡し口１１３は、銀行の窓口入出金機や自動預金機、支払機等に収納されているカセットを回収して、その中に収納されている紙幣を取り出すために、これらカセットを装着して送られる紙幣を搬送路ｘに受入れて識別部１０３に送るための受け渡し口である。
【００２２】
収納紙幣受渡し口１１４は表裏取揃部１０４で表裏取揃えられた紙幣又は後述の固定収納庫２０４〜２０６、損券収納庫２０８から取出された紙幣を搬送路ｆ，ｇ，ｈ，ｉ，ｒ，ｔを介して結束収納ユニット２００に送り出すためのものである。
【００２３】
入金繰出し部１０１又はカセット紙幣受渡し口１１３から送られたバラ紙幣は入金識別部１０３において識別された金種情報に基づいて、搬送路ｊを通して万円専用の一時保留部２０１に、同様に、搬送路ｋを通して五千円専用の一時保留部２０２に搬送路を通して千円専用の一時保留部２０３にそれぞれ保留される。なお、損券については損券収納庫２０８へ収納させるべくその一時保留部２０７に一時保留される。なお、本実施の形態において、損券収納庫に収納されるのは、少なくとも金種が判別できたものに限られる。
【００２４】
これらの一時保留部２０１，２０２，２０３，２０７の位置に対応して匡体にはこれらの一時保留部２０１，２０２，２０３，２０７から集積された紙幣を取り出すための扉が設けられている。
【００２５】
各金種の固定収納庫２０４，２０５，２０６はそれぞれ対応する一時保留部２０１，２０２，２０３で各々保留されている紙幣を別途入力される収納命令により重積収納し、又、払出し時には固定収納庫２０４，２０５，２０６の底部に各々設けられている出金繰出し部２０９〜２１１により一枚ずつ取り出し、それぞれ搬送路ｆ，ｇ，ｈへ送ることができる。同様に、損券収納部２０８からはその底部に設けられた出金繰出部２１２により損券を一枚ずつ取り出し、搬送路ｉに送ることができる。
【００２６】
出金識別部２１３は搬送路ｆ，ｇ，ｈ，ｉを各々通ってきた紙幣について、前述した入金識別部１０３と同等の識別または金種および斜行、若しくは厚み異常等の識別を行なうものである。
【００２７】
出金一時保留部１５０はバラ紙幣の払出時に各金種別の収納繰出部２０９，２１０，２１１から金種別に一枚ずつ取り出して出金識別部２１３により払出すべき金種であることが確認された場合搬送路ｒ，ｔ，ｙ，ｚを通して取出された紙幣を一時保留する。尚、払出すべきでない、つまり異金種であることが識別部により検出された場合には搬送路ｊ，ｋ，ｌのいずれかを通して正規の金種の収納部に戻すようになっており、払出終了後、再び固定収納庫２０４，２０５，２０６に収納されるようになっている。
【００２８】
バラ紙幣用の出金口１５１は払出しに必要な金種・数量の紙幣が取出されて出金一時保留部１５０に保留された後に、一括して外部に払出す口であり、係員が抜き取ったかどうかをセンサ（図示せず）により検出し、抜き取りが検知されると払出し処理が終了となる。又、多量にバラ紙幣を払出す必要がある場合には所定枚数づつ区分して払出し、抜き取り後、続いて次の払出しを行なうようにしても良い。
【００２９】
なお、出金一時保留部１５０又は出金口１５１にある紙幣について払出しを取消した場合には、それらを出金リジェクトボックス１０６へ搬送路ｍを介して回収することもできる。
【００３０】
尚、上述の一時保留部２０１，２０２，２０３，２０４、固定収納庫２０４，２０５，２０６、損券収納庫２０８はこのような構成に限定される事はなく、横方向に各収納繰出部を設けて金種別に上下積重ねた状態にしたようなものであってもよい。
（結束収納ユニット２００）
これはバラ紙幣を結束して帯封処理をして収納する部分であり、後述するような２つの整体機構１０７ａ，１０７ｂよりなる整体部１０７、結束部１０８、束搬送部１０９、束収納庫２５０を備えている。
【００３１】
図２に示す内部構造図を参照すると、まず、整体部１０７は搬送路ｅを介して送られてくる紙幣を位置決めしながら所定枚数（例えば１００枚）整えて重積させる部分であり、この実施例においては図２に示すように２つの整体機構１０７ａ，１０７ｂを有している。すなわち、収納紙幣受渡し口１１４から搬入された紙幣はその金種を揃えるように搬送路１２３または１２４を通って回転羽根車１２１または１２２の羽根間に挿入され、回転に伴って突当板１２６，１２７に沿って重積され、整体が行われる。搬送路１２３と１２４は振分けゲート１２５によって、金種毎に切換えられるようになっている。例えば、図２の左側の羽根車１２２、搬送路１２４、突当板１２７よりなる整体部１０７ａは一万円札用、図２の右側の羽根車１２１、搬送路１２３、突当板１２６よりなる整体部１０７ｂは千円札用とすることができる。
【００３２】
紙幣が垂直に重積される位置に対応してユニットの操作側前面に扉１２８，１２９がそれぞれ設けられており、これらの扉には電磁ソレノイド等によるロック機構１３０，１３１が設けられている。したがって必要なときには扉１２８，１２９を開けることにより整体部１０７からの紙幣の回収が容易となっている。
【００３３】
２つの整体機構１０７ａ，１０７ｂで各々所定枚数重積された紙幣束は所定の順序でモータ１３３により駆動される移動機構１３４により上下移動をするアーム１３２により結束部１０８に運ばれ、回転機構により紙テープ等を紙幣束の中央部に少なくとも１重巻に巻回させるようにして帯封を行うようにしている。尚、この紙テープには結束時、銀行名、日付、枚数、金種、正損区分等必要事項が印刷、又は印字、押印されるようになっている。
【００３４】
次に束搬送部１０９は第１の搬送部１１０と第２の搬送部１１１、第３の搬送部２１４から成っており、結束部１０８で結束された紙幣束（以後結束紙幣と称す）を下方へ移動する第１の搬送部１１０で下方に移して後述の束収納庫２５０へ収納させ、又、駆動部１３５により水平方向に移動する第２の搬送部１１１によって、後述の束放出庫３０１へ金種別に区分して収納するようになっている。又、第３の搬送部２１４は機外へ放出できるように図示されていない放出口へ個々の束を搬送する。なお、結束紙幣受渡し口１１２は結束紙幣を後述する札束出金ユニット３００側へ送るためのものである。
（札束出金ユニット３００）
これは結束紙幣を収納し、払出す部分であり、図３にその詳細を示す。
【００３５】
束放出庫３０１はそれぞれ万円、五千、千円用に区分された３つの収納部を前後方向に有しており、結束収納ユニット２００から結束紙幣受渡し口１１２を経て送られてきた結束紙幣を金種に応じて前後方向に移動するベルト搬送部３０２により、金種別に区分して収納するものである。各金種別の束放出庫３０１の中には結束紙幣をその上で支持する支持板３０５と載置された結束紙幣の量に応じてこの支持板３０５を上下移動する昇降機構３０６が設けられている。又、取り出し部材３０７が金種別の収納部に対応して設けられ、結束紙幣の払出し時にはこれらの進退運動により収納されている結束紙幣を一束ずつ取り出して取り出し口３０８より払出リフト３０３に載置する。この払出しリフト３０３は昇降機構３０９により支持されており、駆動することにより結束紙幣は上方へ送られ、装置上面に設けられた結束紙幣払出口３０４から払出される。
【００３６】
なお、束放出庫の側壁部には結束紙幣が存在していないことを検出する空検知センサ３１０、および結束紙幣が束放出庫３０１の中に満杯状態で収納されていることを検出する満杯検出センサ３１１、および結束紙幣の残量が少ないことを示すニアエンドセンサ３１２がそれぞれ設けられている。これらのセンサは光センサが通常であり、検出方法は限定されないが例えば昇降機構３０６の一部が光をさえぎることにより位置検出を行う形式のものが使用される。
【００３７】
図４は本発明にかかる紙幣入出金処理機のシステム全体の制御系統を示すブロック図であって共通の制御部１には記憶部２、操作部３、表示部４、印字部５、インタフェース部６が接続されており、このインタフェース部６には各ユニットのインタフェース部２１および３１が接続され、各ユニットが制御部１の指令を受けて作動するようになっている。尚、これらのインタフェース部は各ユニットを接続した時に電気的に相互に接続されるようになっている。又、この制御部１は各ユニットで処理される紙幣についての金種別計数データ等を各インタフェースを介して記憶部２に集計記憶させ、表示部４、印字部５に必要に応じて係員別、カセット別、夜間金庫カセット別、にデータ集計の上出力させ、更には補充・回収データも出力させるようになっている。
【００３８】
図５は記憶部中の記憶内容の一部をテーブル形式で示したものであり、これは後述するＲＡＭ２４の一部として実現される。この記憶部中には、各金種について一時保留されている枚数、固定収納庫に収納されている枚数がそれぞれ記録されているが、損券収納庫に関しては、金種を問わないため、各金種の紙幣が混在しているが、一時保留されている枚数、損券収納庫に収納されている枚数は金種別に記憶される。そして、これらの枚数は識別部１０３、２１３での識別結果とセンサでの検出結果に基づいて随時更新される。
【００３９】
図４に戻ると、入出金ユニット１００においてはインタフェース２１に接続されたＣＰＵ２２、ＲＯＭ２３、ＲＡＭ２４によって、操作部２５、搬送部２６、表示部２７、ゲート切換部２８、識別部１０３，２１３、表裏反転部１０４、収納繰出部２０１〜２１２を紙幣検出部２９で確認しながら制御するようにしており、また、結束収納ユニット２００および札束出金ユニット３００ではインタフェース３１に接続されたＣＰＵ３２、ＲＯＭ  ３３、ＲＡＭ３４によって、搬送部３５、ゲート切換部３６、整体部１０７、結束部１０８、束収納繰出部２５０，３０１、束搬送部１０９，３０２，３０３を束検出部３１１で確認しながら制御するようにしている。また、札束出金ユニット中の整体部扉のロック機構１３０および１３１もＣＰＵ３２により制御され、整体部内部の紙幣取り出しの必要が生じたときはロックが解除される。なお、紙幣検出部２９は複数の検出センサの集合体として表わしたものである。
【００４０】
図６〜図９は以上説明した実施の形態における特徴的な処理を示すフローチャートである。
【００４１】
図６は通常の結束処理の概要を示すフローチャートである。
【００４２】
結束指示待ちの状態で（ステップＳ１０１）結束指示が与えられると、まず万円券がその収納庫２０４内でエンプティ状態になっているかどうかが調べる（ステップＳ１０２）。、エンプティでなければ万円券の整体処理のサブルーチンが実行される（ステップＳ１１０）。
【００４３】
万円券がエンプティであるとき、および万円券の整体処理で万円券用収納庫がエンプティ状態になったときには、千円券がその収納庫２０５内でエンプティになっているかどうかが調べられ（ステップＳ１２１）、エンプティでなければ千円券の整体処理サブルーチンが実行される（ステップＳ１３０）。
【００４４】
千円券もエンプティであるとき、および千円券の整体処理サブルーチン実行後は、五千円券がその収納庫２０６内でエンプティ状態になっているかどうかが調べられ（ステップＳ１４１）、エンプティでなければ五千円券の整体処理が行われる（ステップＳ１５０）。
【００４５】
五千円券もエンプティであるとき、および五千円券の整体処理サブルーチン実行後は、各一時保留部２０１，２０２，２０３，２０７に紙幣が残っているかどうかを確認し（ステップＳ１６１）、いずれかに残留紙幣がある場合には、一時保留部の扉を開放し（ステップＳ１６２）、紙幣が抜き取られたことを確認して（ステップＳ１６３）、処理を終了する。
【００４６】
図７は図６の整体処理サブルーチンＳ１１０、Ｓ１３０、Ｓ１５０の処理内容を示すフローチャートである。
【００４７】
収納庫に１００枚以上の紙幣があるかどうかを調べる（ステップＳ１）。すなわち、記憶部２４に記憶されている各収納庫の収納枚数をチェックする。収納枚数が１００枚以上あるときには１００枚繰り出して整体部へ搬送するとともに記憶部に記憶されている枚数を紙幣を繰り出すごとに減算し（ステップＳ２）、結束処理（ステップＳ３）を行う。これを繰り返し、記憶部に記憶されている残存紙幣が１００枚未満になったらその残存紙幣はその金種の一時保留部へ搬送、集積される（ステップＳ４）。
【００４８】
図８および図９は例えば業務終了時等にすべての紙幣を機械から取り出す必要のある場合に損券収納庫内の紙幣の処理を行う様子を説明するフローチャートである。なお、この作業を行う前に図６の処理が終了しており、各金種の収納庫は空になっているものとする。また、損券収納庫中の各金種の枚数は図５のように管理されているものとする。
【００４９】
まず、損券収納庫２０８が空であることを確認し（ステップＳ２０１）、空でなければ損券収納庫２０８内にある紙幣を出金繰出部１１２により繰り出す（ステップＳ２０２）。
【００５０】
繰り出された損券は出金識別部２１３により金種判別が行われ（ステップＳ２０３）、万円券が識別されたときには（ステップＳ２０４）、記憶部中の損券の万円券のカウントを１減じる（ステップＳ２１０）。この結果万円券の残高枚数が９９未満となったかどうかが確認され（ステップＳ２１１）、９９枚以上あるときには整体部１０７ａへ万円券が搬送され（ステップＳ２１４）、整体部１０７ａのＲＡＭ３４の万円券カウンタ値は１増加される（ステップＳ２１５）。整体部１０７ａにおける万円券枚数が１００枚に達したかどうかが確認され（ステップＳ２１６）、達していれば結束が行われ（ステップＳ２１７）、整体部１０７ａのカウンタがクリアされる（ステップＳ２１８）。
【００５１】
一方、損券収納庫の万円券残高が９９枚未満であるときには整体部１０７ａに紙幣があるかどうかを確認し（ステップＳ２１２）、あるときは整体部１０７ａに搬送される（ステップＳ２１４）。これは、整体部からも容易に取り出しが可能であるため、取り出し紙幣をまとめるためである。整体部１０７ａに紙幣がないときには、整体部での紙幣を考慮する必要がないので、万円券用一時保留部２０１に搬送する（ステップＳ２１３）。
【００５２】
出金識別部２１３により千円券が識別されたときには（ステップＳ２０５）、記憶部中の損券の千円券カウンタ値を１減じる（ステップＳ２２０）。この結果千円券の残高枚数が９９未満となったかどうかが確認され（ステップＳ２２１）、９９枚以上あるときには整体部１０７ｂへ千円券が搬送され（ステップＳ２２４）、整体部１０７ｂのＲＡＭ３４の千円券カウンタ値は１増加される（ステップＳ２２５）。整体部１０７ｂにおける千円券枚数が１００に達したかどうかが確認され（ステップＳ２２６）、達していれば結束が行われ（ステップＳ２２７）、整体部１０７ｂのカウンタのクリアが行われる(ステップＳ２２８）。
【００５３】
一方、損券収納庫の千円券残高が９９枚未満であるときには整体部１０７ｂに紙幣があるかどうかを確認し（ステップＳ２２２）、あるときは整体部１０７ｂに搬送される。整体部１０７ｂに紙幣がないときには、整体部での紙幣を考慮する必要がないので、千円券用一時保留部２０３に搬送する（ステップＳ２２３）。
【００５４】
次に、繰り出された紙幣が万円券でも千円券でもないときには、繰り出された紙幣は五千円であることが判明するが、ここでの処理は万円券と千円券を優先して結束するためのものであるので、この五千円券は損券用一時保留部へ搬送される（ステップＳ２０６）。
【００５５】
損券用収納庫が空になったかどうかは常にチェックされており、空になったときには図９のフローに移行する（ステップＳ２０１）。
【００５６】
図９を参照すると、最初に損券用一時保留部２０７に紙幣があるかどうかが確認され（ステップＳ２３０）、ある場合には、損券用一時保留部２０７にある紙幣を損券用収納庫２０８に移動させる（ステップＳ２３１）。これにより損券収納庫２０８のカウンタが更新される（ステップＳ２３２）。そして損券用収納庫内にあるセパレータを上昇させ（ステップＳ２３３）、以後は一時保留部への集積のみが行われる。
【００５７】
続いて損券用収納庫２０８が空であるかが確認され（ステップＳ２３４）。なお、この時点では損券収納庫および損券用一時保留部の紙幣はすべて五千円券となっている。損券収納庫２０８が空でなければ五千円札を繰り出し（ステップＳ２３５）、損券用収納庫の五千円券カウンタ値を１減ずる（ステップＳ２３６）。
【００５８】
損券用収納庫２０８内の五千円券の残高が９９枚未満になったことを監視しており（ステップＳ２３７）、９９枚未満になったときには整体部１０７ａ、１０７ｂのいずれにも紙幣がなければ（ステップＳ２３８）、五千円券用の一時保留部２０２に搬送する（ステップＳ２３９）。
【００５９】
五千円券の残高が９９枚以上あるときには、紙幣が存在する整体部の方へ五千円券を搬送し（ステップＳ２４０）、整体部のＲＡＭ３４内のカウンタの数値を１増加させる（ステップＳ２４１）。この結果、整体部内の五千円券が１００枚に達したときには五千円券を結束する（ステップＳ２４３）。
【００６０】
損券用一時保留部に紙幣がないとき（ステップＳ２３０）、あるいは損券用収納庫２０８が空になったときには（ステップＳ２３４）、他の一時保留部２０１〜２０３に紙幣がなければ（ステップＳ２５１）処理を終了し、紙幣が存在していれば各一時保留部の扉を開き（ステップＳ２５２）、紙幣の抜取りを待って（ステップＳ２５３）終了する。
【００６１】
このように、本実施の形態では、整体部を２つ持っておりこの２つの整体部により使用頻度の高い２金種紙幣を優先的に結束させ、他の金種については損券と同じ扱いをし、かつ紙幣を回収する際には結束するには足りない数の紙幣を各金種用および損券用の一時保留部に最終的に蓄積させて外部から取り出しやすくしている。このため、回収時間を短縮することができる。
【００６２】
なお、ステップＳ２１１、Ｓ２２１、Ｓ２３７での監視枚数は、リジェクト紙幣の発生時には結束紙幣不足になることを考慮し、９９枚よりも多めに設定しておくことが好ましい。
【００６３】
本発明の第２の実施の形態について図１０ないし図１２を参照して説明する。
【００６４】
図８においてステップＳ２０６では五千円券を損券用一時保留部へただちに搬送しているが、この第２の実施の形態では図１０に示すように、損券用一時保留部が満杯であるかどうかを確認し（ステップＳ２０７）、満杯であるときには五千円券を五千円正券用一時保留部へ搬送し（ステップＳ２０８）、満杯でなければ五千円券を損券用一時保留部へ搬送する（ステップＳ２０９）ようにする。
【００６５】
このようにした上で、図９のステップＳ２３０とステップＳ２３１の間に図１１の処理を挿入し、ステップＳ２３５の前後に図１２に示す処理を追加する。
【００６６】
すなわち、整体部で帯封を行う際には、損券収納庫からの繰り出しの前に、まず五千円用一時保留部に紙幣があるかどうかを確認し（ステップＳ２３０１）、紙幣がある場合には五千円用一時保留部の紙幣を収納繰出部に移すようにし（ステップＳ２３０２）、収納庫からの紙幣繰り出しを五千円収納庫がエンプティであるかどうかを確認し（ステップＳ２３５１）、エンプティでなければ五千円券収納庫より五千円券を繰り出す（ステップＳ２３５２）ようにし、エンプティである場合、あるいはエンプティになった場合には損券収納庫から五千円券を繰り出す（ステップＳ２３５）ようにする。
【００６７】
このようにすることにより、損券収納庫に収納されている流通量が他の金種よりも少ないのが一般的である五千円券の損券が多い場合でも、２番目の一時保留場所として正券五千円用の一時保留部を使用することができ、オペレータの手を煩わせることなく損券の結束処理を行うことが可能となる。
【００６８】
以上の実施の形態では、取り扱う金種は３種類で、損券用と合わせて４個の収納庫と、２個の整体部を備えるようにしているが、これに限る必要はなく、４金種以上にも同様に適用することができる。
【００６９】
この場合、収納庫の数は損金用のものが必要であるので、金種の数より必ず１つ多く設定されるが、整体部の数は２個以上であればよい。
【００７０】
【発明の効果】
以上、説明したように、本発明によれば、金種混合で収納されている損券のうち、複数の特定金種の損券については、識別後に一度に集積部へ搬送して分類集積し、順次結束するとともに、端数は各金種別に一時保留部へ集積させ、特定金種以外の損券は損券一時保留部へ戻し、所定枚数以上であれば特定金種の処理後に結束を行い、その端数を該当金種の一時保留部へ集積するようにして、外部から取り出し可能としているので、迅速な紙幣回収が可能となる。
【図面の簡単な説明】
【図１】本発明にかかる紙幣回収処理装置の実施の一形態における全体の概略構成図
【図２】結束収納ユニットの内部構造を示す図。
【図３】札束出金ユニットの内部構造を示す図。
【図４】本発明にかかる紙幣入出金処理機のシステム全体の制御系統を示すブロック図。
【図５】損券収納庫中の各金種の枚数の管理を行うメモリテーブルを示す図。
【図６】本実施の形態における処理の概要を示すフローチャート。
【図７】図６における各金種の整体処理の内容を示すフローチャート。
【図８】すべての紙幣を機械から取り出す必要のある場合に損券収納庫内の紙幣の処理を行う様子を説明するフローチャートの前半部分。
【図９】すべての紙幣を機械から取り出す必要のある場合に損券収納庫内の紙幣の処理を行う様子を説明するフローチャートの後半部分。
【図１０】本発明の第２の実施の形態にかかる処理に関し、図８のステップＳ２０６の代わりに行われる処理を示すフローチャート。
【図１１】本発明の第２の実施の形態にかかる処理に関し、図９のステップＳ２３０とステップＳ２３１の間に挿入される処理を示すフローチャート。
【図１２】本発明の第２の実施の形態にかかる処理に関し、図９のステップＳ２３５の前後に行われる処理を示すフローチャート。
【符号の説明】
１  制御部、
２  記憶部
２２，３２  ＣＰＵ、
１００  入出金ユニット、
１０１  入金繰出し部、
１０３  入金識別部、
１０４  表裏取揃部、
１０５  リジェクト部、
１０６  出金リジェクトボックス、
１０７、１０７ａ、１０７ｂ  整体部、
１０８  結束部、
１０９，１１０，１１１，３０２  束搬送部、
１２１，１２２  羽根車、
１２８，１２９  扉、
１３０，１３１ロック機構、
１５０  出金一時保留部、
１５１  出金口、
２００  結束収納ユニット、
２０１〜２０３，２０７  一時保留部、
２０４〜２０６  固定収納庫、
２０８  損券用収納庫
２０９〜２１２  出金繰出し部、
２１３  出金識別部、
２５０  束収納庫、
３００  札束出金ユニット、
３０１  束放出庫、
３０４  束出金口、
３１１  満杯検知センサ、
【図１】
0003856867.tif 000002
【図２】
0003856867.tif 000003
【図３】
0003856867.tif 000004
【図４】
0003856867.tif 000005
【図５】
0003856867.tif 000006
【図６】
0003856867.tif 000007
【図７】
0003856867.tif 000008
【図８】
0003856867.tif 000009
【図９】
0003856867.tif 000010
【図１０】
0003856867.tif 000011
【図１１】
0003856867.tif 000012
【図１２】
0003856867.tif 000013